(57)【要約】【課題】異物の侵入を防止することが可能な端子カバーを提供する。【解決手段】端子カバー１は、端子カバー本体７と、端子カバー蓋８と、これらを連結するヒンジ９とを有する。このような端子カバー１には、電線２を引き出す部分として貫通孔１０が形成される。貫通孔１０には、ヒレ部１１が一体に形成される。ヒレ部１１は、電線２の外面に接触して異物の侵入を防ぐ機能を有する。ヒレ部１１は、貫通孔１０の外側開口縁から突出する本体側ヒレ部３５と蓋側ヒレ部３６とから形成される。ヒレ部１１は、電線２の外面に接触しつつ電線２の曲げに追従する可撓性及び弾力性を有する。【選択図】図１
2014022130.tif 000002
【特許請求の範囲】
【請求項１】
電線の端末に設けられた端子金具を覆う樹脂成型品であり、前記電線を引き出す部分として貫通孔を有する端子カバーにおいて、
前記貫通孔には、前記電線の外面に接触するヒレ部を形成する
ことを特徴とする端子カバー。
【請求項２】
請求項１に記載の端子カバーにおいて、
前記ヒレ部は、前記電線の外面に接触しつつ前記電線の曲げに追従する可撓性及び弾力性を有する
ことを特徴とする端子カバー。
【請求項３】
請求項２に記載の端子カバーにおいて、
前記ヒレ部は、前記電線の外面に向けて傾く内向き傾斜形状に形成される
ことを特徴とする端子カバー。
【請求項４】
請求項１、２又は３に記載の端子カバーにおいて、
端子収容部を有する端子カバー本体と、前記端子収容部の開口を覆い前記端子カバー本体に係合する端子カバー蓋とを含み、前記貫通孔は、前記端子カバー本体に形成された半円形状の本体側貫通孔と、前記端子カバー蓋に形成された半円形状の蓋側貫通孔とからなり、前記ヒレ部は、前記本体側貫通孔の外側開口縁から突出する本体側ヒレ部と、前記蓋側貫通孔の外側開口縁から突出する蓋側ヒレ部とからなる
ことを特徴とする端子カバー。
【請求項５】
請求項４に記載の端子カバーにおいて、
前記本体側ヒレ部及び／又は前記蓋側ヒレ部は、電線周方向の端部を延出させてなるラップ部を有する
ことを特徴とする端子カバー。
【請求項６】
請求項４又は５に記載の端子カバーにおいて、
前記本体側ヒレ部及び前記蓋側ヒレ部は、電線長手方向に互い違いに配置される
ことを特徴とする端子カバー。
【発明の詳細な説明】
【技術分野】
【０００１】
本発明は、端子金具を覆う端子カバーに関する。
【背景技術】
【０００２】
従来の端子カバーとしては、例えば下記特許文献１に開示されたものが知られる。端子カバーは、電線の端末に設けられた端子金具を覆う樹脂成型品であって、電線を引き出す部分としての貫通孔を有する。
【先行技術文献】
【特許文献】
【０００３】
【特許文献１】特開２０００−２０５１２８号公報
【発明の概要】
【発明が解決しようとする課題】
【０００４】
従来の端子カバーにあっては、端子金具を覆う構造上生じてしまうガタや、端子カバー及び電線の製造公差に起因して、例えば貫通孔と電線との間に隙間が生じてしまい、この隙間を介して針金等の異物が端子カバーに入った場合には、不具合が生じてしまうという問題点を有する。
【０００５】
本発明は、上記した事情に鑑みてなされたもので、異物の侵入を防止することが可能な端子カバーを提供することを課題とする。
【課題を解決するための手段】
【０００６】
上記課題を解決するためになされた請求項１に記載の本発明の端子カバーは、電線の端末に設けられた端子金具を覆う樹脂成型品であり、前記電線を引き出す部分として貫通孔を有する端子カバーにおいて、前記貫通孔には、前記電線の外面に接触するヒレ部を形成することを特徴とする。
【０００７】
このような特徴を有する本発明によれば、貫通孔に形成されるヒレ部が電線の外面に接触する。従って、異物が侵入してしまうような隙間は生じない。
【０００８】
請求項２に記載の本発明の端子カバーは、請求項１に記載の端子カバーに係り、前記ヒレ部は、前記電線の外面に接触しつつ前記電線の曲げに追従する可撓性及び弾力性を有することを特徴とする。
【０００９】
このような特徴を有する本発明によれば、可撓性及び弾力性を有するヒレ部が電線の外面に接触する。従って、電線が曲がってもヒレ部がこれに追従し、結果、異物が侵入してしまうような隙間は生じない。
【００１０】
請求項３に記載の本発明の端子カバーは、請求項２に記載の端子カバーに係り、前記ヒレ部は、前記電線の外面に向けて傾く内向き傾斜形状に形成されることを特徴とする。
【００１１】
このような特徴を有する本発明によれば、内向き傾斜形状のヒレ部が電線の外面に接触する。従って、電線の外面に接触し易い形状、また、電線の曲げに追従し易い形状のヒレ部になる。
【００１２】
請求項４に記載の本発明の端子カバーは、請求項１、２又は３に記載の端子カバーに係り、端子収容部を有する端子カバー本体と、前記端子収容部の開口を覆い前記端子カバー本体に係合する端子カバー蓋とを含み、前記貫通孔は、前記端子カバー本体に形成された半円形状の本体側貫通孔と、前記端子カバー蓋に形成された半円形状の蓋側貫通孔とからなり、前記ヒレ部は、前記本体側貫通孔の外側開口縁から突出する本体側ヒレ部と、前記蓋側貫通孔の外側開口縁から突出する蓋側ヒレ部とからなることを特徴とする。
【００１３】
このような特徴を有する本発明によれば、端子カバー本体と端子カバー蓋とを含んで構成され、これら端子カバー本体と端子カバー蓋とにより端子金具が覆われる。また、本体側貫通孔と蓋側貫通孔とからなる貫通孔から電線が引き出され、本体側ヒレ部と蓋側ヒレ部とからなるヒレ部が電線の外面に接触する。
【００１４】
請求項５に記載の本発明の端子カバーは、請求項４に記載の端子カバーに係り、前記本体側ヒレ部及び／又は前記蓋側ヒレ部は、電線周方向の端部を延出させてなるラップ部を有することを特徴とする。
【００１５】
このような特徴を有する本発明によれば、本体側ヒレ部と蓋側ヒレ部の側方にラップ部が存在し、この状態において本体側ヒレ部と蓋側ヒレ部が電線の外面に接触する。従って、側方において異物が侵入してしまうような隙間は生じない。
【００１６】
請求項６に記載の本発明の端子カバーは、請求項４又は５に記載の端子カバーに係り、前記本体側ヒレ部及び前記蓋側ヒレ部は、電線長手方向に互い違いに配置されることを特徴とする。
【００１７】
このような特徴を有する本発明によれば、電線長手方向に互い違いに配置される本体側ヒレ部と蓋側ヒレ部とが電線の外面に接触する。従って、ヒレ部同士の干渉がなく隙間も生じない。
【発明の効果】
【００１８】
請求項１に記載された本発明によれば、電線を引き出す部分としての貫通孔にヒレ部を形成し、このヒレ部を電線の外面に接触させることから、貫通孔と電線との間に隙間が生じてもこの隙間をヒレ部にて埋めることができ、以て異物の侵入を防止することができるという効果を奏する。
【００１９】
請求項２に記載された本発明によれば、ヒレ部に可撓性及び弾力性を持たせることから、電線に曲げが生じても電線の外面にヒレ部を接触させ続けることができるという効果を奏する。従って、電線に曲げが生じても異物の侵入を防止することができるという効果を奏する。
【００２０】
請求項３に記載された本発明によれば、ヒレ部を内向き傾斜形状に形成することから、ヒレ部を電線の外面に確実に接触させることができるという効果を奏する。
【００２１】
請求項４に記載された本発明によれば、端子カバーのより良い構成及び構造を提供することができるという効果を奏する。
【００２２】
請求項５に記載された本発明によれば、電線周方向の端部を延出させてなるラップ部を有することから、側方にも隙間を生じさせることはなく、以て一層異物の侵入を防止することができるという効果を奏する。
【００２３】
請求項６に記載された本発明によれば、ヒレ部である本体側ヒレ部及び蓋側ヒレ部を電線長手方向に互い違いに配置することから、ヒレ部同士の干渉を防止することができ、以てより良く機能させることができるという効果を奏する。
【図面の簡単な説明】
【００２４】
【図１】本発明の端子カバーと端子金具と電線を示す斜視図である。
【図２】貫通孔側から見た端子カバーの図である。
【図３】図２のＡ−Ａ線断面図である。
【図４】端子カバーの組み立て前の斜視図である。
【図５】図４の矢印Ｂ方向から見た端子カバーの図である。
【図６】図５の矢印Ｃ方向から見た端子カバーの図である。
【図７】図５の矢印Ｄ及びＥ方向から見た端子カバーの図である。
【図８】図５のＦ−Ｆ線断面図及びＧ−Ｇ線断面図である。
【発明を実施するための形態】
【００２５】
電線の端末に設けられた端子金具を覆う樹脂製の端子カバーは、端子カバー本体と端子カバー蓋とを含んで構成され、電線を引き出す部分としての貫通孔を有する。貫通孔は、本体側貫通孔と蓋側貫通孔とからなり、このような貫通孔には、本体側ヒレ部と蓋側ヒレ部とからなるヒレ部を形成する。ヒレ部は、電線の外面に接触して隙間を埋める。
【実施例】
【００２６】
以下、図面を参照しながら実施例を説明する。図１は本発明の端子カバーと端子金具と電線を示す斜視図である。また、図２は貫通孔側から見た端子カバーの図、図３は図２のＡ−Ａ線断面図、図４は端子カバーの組み立て前の斜視図、図５は図４の矢印Ｂ方向から見た端子カバーの図、図６は図５の矢印Ｃ方向から見た端子カバーの図、図７は図５の矢印Ｄ及びＥ方向から見た端子カバーの図、図８は図５のＦ−Ｆ線断面図及びＧ−Ｇ線断面図である。
【００２７】
以下の説明において、具体的な形状、材料、数値、方向等は、本発明の理解を容易にするための例示であって、用途、目的、仕様等に合わせて適宜変更することができるものとする。
【００２８】
図１において、引用符号１は本発明に係る端子カバーを示す。また、引用符号２は電線を示し、引用符号３は電線２の端末に設けられた端子金具を示す。本実施例の端子金具３は、例えば自動車等の移動体に搭載される機器や電気的接続部品のスタッドボルトに対し挿通されて締め付け固定されるとともに、電気的にも接続される。
【００２９】
電線２は、導体２ａ及び絶縁体２ｂを有する公知のものが用いられる。電線２の端末は、所定の長さで絶縁体２ｂが除去されて導体２ａが露出するように加工される。
【００３０】
端子金具３は、導電性を有する金属板をプレス加工することにより形成され、電気接触部３ａと電線接続部３ｂとを有する。電気接触部３ａは、上記スタッドボルトに挿通される円形の貫通孔４を有し、円形の外周縁にはリブ５が形成される。一方、電線接続部３ｂは、電気接触部３ａに連成され、電線２の導体２ａを例えば溶接により接続することができるように形成される。また、電線接続部３ｂは、電線２の絶縁体２ｂを加締めにより固定することができるように形成される。引用符号６は接続部を示す。
【００３１】
端子カバー１は、絶縁性を有する合成樹脂材料を用いてなる樹脂成型品であって、本実施例においては、端子金具３の電線接続部３ｂと、電線２の端末との接続部６を覆うことができる形状に形成される。尚、上記スタッドボルトを考慮しつつ電気接触部３ａまでを覆う形状であってもよいものとする。
【００３２】
図１及び図２において、端子カバー１は、端子カバー本体７と、端子カバー蓋８と、これらを連結するヒンジ９とを有して例えば図示形状に形成される。このような端子カバー１には、電線２を引き出す部分として貫通孔１０が形成される。貫通孔１０には、本発明の特徴部分となるヒレ部１１が一体に形成される。ヒレ部１１は、図３に示す如く電線２の外面１２に接触して異物の侵入を防ぐ機能を有する。以下、端子カバー１の構成及び構造について詳細に説明をする。
【００３３】
図４ないし図８において、端子カバー本体７は、略箱形状となる端子収容部１３と、この端子収容部１３の一方の側部に連成されるロック部１４とを有する。端子収容部１３には、端子挿入用の開口１５及びスリット１６が形成される。また、端子収容部１３の内側には、一対の端子挟持部１７が形成される。スリット１６は、この部分で一対の端子挟持部１７と同様の機能を有する。スリット１６の外縁には、端子収容部１３から突出するように一対の端子支持部１８が形成される。この一対の端子支持部１８は、端子金具３（図１参照）の電気接触部３ａと電線接続部３ｂとの連続部分を挟み込むような状態で支持する形状に形成される。
【００３４】
端子収容部１３の他方の側部には、切り欠き部１９が形成される。この切り欠き部１９は、端子カバー本体７に端子カバー蓋８を取り付けた際に、端子カバー蓋８の後述する壁２４を係合させる部分として形成される。
【００３５】
ロック部１４は、端子カバー蓋８の後述するロック部２２を挿入係止することができる形状に形成される。ロック部１４における引用符号２０は係止面を示す。
【００３６】
端子カバー蓋８は、端子収容部１３の開口１５を覆う蓋本体２１と、この蓋本体２１の一方の側部に連成されるロック部２２と、同じく一方の側部に連成される膨出部２３と、蓋本体２１の他方の側部に連成される壁２４とを有する。壁２４は、端子カバー本体７の切り欠き部１９に係合する部分として形成される。蓋本体２１の内側には、端子カバー本体７の一対の端子挟持部１７及びスリット１６の各開口端部に差し込まれる凸部２５、２６が形成される。凸部２５、２６は、端子押さえとしての機能を有する。
【００３７】
ロック部２２は、端子カバー本体７のロック部１４に挿入係止される部分であって、弾性を有する片状部分２７と、この片状部分２７の先端に突出形成される係止突起２８とを有する。係止突起２８は、係止面２０に引っ掛かり係止される形状に形成される。
【００３８】
ヒンジ９は、薄肉形状で繰り返し折り曲げ可能な部分に形成される。ヒンジ９は、この一方の端部が端子カバー本体７の切り欠き部１９の外縁に配置され、他方の端部が端子カバー蓋８の壁２４に配置される。ヒンジ９は、端子カバー本体７と端子カバー蓋８とを連結する。ヒンジ９は、端子カバー１を一部品で形成するのに有効である。
【００３９】
貫通孔１０は、電線２の断面形状に合わせた形状に形成される。ここでは、円形に形成される。貫通孔１０は、スリット１６の反対側の位置に配置形成される。また、反対側の位置においては、端子カバー本体７と端子カバー蓋８との係合位置に配置形成される。貫通孔１０は、端子カバー本体７の本体側貫通孔２９と、端子カバー蓋８の蓋側貫通孔３０とにより形成される。本体側貫通孔２９及び蓋側貫通孔３０は、それぞれ半円形状に形成される。尚、貫通孔１０は、従来同様の製造公差で形成されるものとする（後述するヒレ部１１により、従来同様の製造公差でも問題がないためである）。
【００４０】
本体側貫通孔２９には、この本体側貫通孔２９の電線周方向の両端部を延出させてなる貫通孔延出部３１、３２が形成される。そのため本体側貫通孔２９と貫通孔延出部３１、３２とからなる部分は、略Ｕ字形状に形成される。貫通孔延出部３１を端子収容部１３の他方の側部が存在する側に配置形成するものとすると、この貫通孔延出部３１の近傍には、電線長手方向に突出するガイド突片３３が形成される。
【００４１】
蓋側貫通孔３０は、電線長手方向に長く形成される。具体的には、後述する本体側ヒレ部３５を考慮して電線長手方向に長く形成される。このような長さのある部分は、貫通孔延出部３１、３２と本体側ヒレ部３５の後述するラップ部３７とを係合させる係合部３４として形成される。
【００４２】
ヒレ部１１は、上記の如く本発明の特徴部分であって、電線２の外面１２（図２参照）に接触して異物の侵入を防ぐ機能を有する。ヒレ部１１は、本体側貫通孔２９の外側開口縁から突出する本体側ヒレ部３５と、蓋側貫通孔３０の外側開口縁から突出する蓋側ヒレ部３６とから形成される。ヒレ部１１は、電線２の外面１２に接触しつつ電線２の曲げに追従する可撓性及び弾力性を有する（図２参照）。ヒレ部１１は、他の部分よりも薄肉に形成される。
【００４３】
本体側ヒレ部３５及び蓋側ヒレ部３６は、電線２の外面１２（図２参照）に向けて傾く内向き傾斜形状にそれぞれ形成される。より具体的には、本体側貫通孔２９及び蓋側貫通孔３０から離れるにつれて先端が窄まる半円形の内向き傾斜形状に形成される。尚、先端の径は、電線２の径よりも若干小さくなるように設定される。このような形状の本体側ヒレ部３５及び蓋側ヒレ部３６は、電線２の外面１２に対し確実に接触する。
【００４４】
また、本体側ヒレ部３５及び蓋側ヒレ部３６は、電線長手方向に互い違いに配置される。このような配置の本体側ヒレ部３５及び蓋側ヒレ部３６は、端子カバー本体７と端子カバー蓋８との係合の際に干渉が防止される。
【００４５】
本体側ヒレ部３５には、この本体側ヒレ部３５の電線周方向の両端部を延出させてなるラップ部３７が形成される。ラップ部３７は、側方の隙間を埋める部分として形成される。ラップ部３７の形成により、異物が侵入してしまうような隙間が側方に生じないのは勿論である。
【００４６】
以上、図１ないし図８を参照しながら説明してきたように、電線２を引き出す部分としての貫通孔１０にヒレ部１１を形成し、このヒレ部１１を電線２の外面１２に接触させることから、貫通孔１０と電線２との間に隙間が生じてもこの隙間をヒレ部１１にて埋めることができ、以て異物の侵入を防止することができるという効果を奏する。
【００４７】
また、ヒレ部１１に可撓性及び弾力性を持たせることから、電線２に曲げが生じても電線２の外面１２にヒレ部１１を接触させ続けることができるという効果も奏する。
【００４８】
本発明は本発明の主旨を変えない範囲で種々変更実施可能なことは勿論である。
【符号の説明】
【００４９】
１…端子カバー、  ２…電線、  ２ａ…導体、  ２ｂ…絶縁体、  ３…端子金具、  ３ａ…電気接触部、  ３ｂ…電線接続部、  ４…貫通孔、  ５…リブ、  ６…接続部、  ７…端子カバー本体、  ８…端子カバー蓋、  ９…ヒンジ、  １０…貫通孔、  １１…ヒレ部、  １２…外面、  １３…端子収容部、  １４…ロック部、  １５…開口、  １６…スリット、  １７…端子挟持部、  １８…端子支持部、  １９…切り欠き部、  ２０…係止面、  ２１…蓋本体、  ２２…ロック部、  ２３…膨出部、  ２４…壁、  ２５、２６…凸部、  ２７…片状部分、  ２８…係止突起、  ２９…本体側貫通孔、  ３０…蓋側貫通孔、  ３１、３２…貫通孔延出部、  ３３…ガイド突片、  ３４…係合部、  ３５…本体側ヒレ部、  ３６…蓋側ヒレ部、  ３７…ラップ部
【図１】
2014022130.tif 000003
【図２】
2014022130.tif 000004
【図３】
2014022130.tif 000005
【図４】
2014022130.tif 000006
【図５】
2014022130.tif 000007
【図６】
2014022130.tif 000008
【図７】
2014022130.tif 000009
【図８】
2014022130.tif 000010